(57)【要約】      （修正有）【課題】高度な技量を必要とせずに、誰でも簡単に、素早く、綺麗に蝶結びを完成させることができると共に、同一の蝶結びを装って統一美を醸し出すことができるボウ襟ブラウスを提供する。【解決手段】ボウ襟２から延びた左右それぞれのボウ部２−１、２−２と、上前身頃に縫着されたタブ部４と、タブ部４に縫着され、左右それぞれ１以上の環を有したリボン部３と、を少なくとも備えたボウ襟ブラウス１であって、左右それぞれのボウ部２−１、２−２をリボン部３の上で交差させ、該ボウ部とリボン部３とを、タブ部４によって巻装して係止したことを特徴とする。【選択図】図１
0003210717.tif 000002
【実用新案登録請求の範囲】
【請求項１】
襟から延びた左右それぞれのボウ部と、上前身頃に縫着されたタブ部と、前記タブ部に縫着され、左右それぞれ１以上の環を有したリボン部と、を少なくとも備えたボウ襟ブラウスであって、前記左右それぞれのボウ部をリボン部の上で交差させ、該ボウ部と前記リボン部とを、前記タブ部によって巻装して係止したことを特徴とするボウ襟ブラウス。
【請求項２】
前記リボン部が、中心の位置でリボンの長手方向に、あらかじめタックを入れていることを特徴とする請求項１に記載のボウ襟ブラウス。
【請求項３】
前記係止が、前記タブ部とブラウスの下前身頃の見返し部とに備えたスナップボタンを用いて嵌合して係止したことを特徴とする請求項１又は２に記載のボウ襟ブラウス。
【考案の詳細な説明】
【技術分野】
【０００１】
本考案は、手技がなくともブラウスのボウ襟で綺麗なリボンを胸に飾ることができるボウ襟ブラウスに関するものである。
【背景技術】
【０００２】
従来、ブラウスやシャツにタイ等を結んで着飾るには、一定の手技が必要であり、結んだタイの出来栄えにバラツキがあった。
【０００３】
そこで、ボタン等を使用して簡単にボウタイを固定できるシャツブラウスが先行技術として開示されている（文献１）。
【先行技術文献】
【特許文献】
【０００４】
【特許文献１】実開平６−６４０１号公報。
【考案の概要】
【考案が解決しようとする課題】
【０００５】
前記の先行技術は、ボタンを使用して、簡単にボウタイを固定できることで優れているが、蝶結びのリボンを装着することはできず、女性の服のデザインの観点から優雅さがなく、女性の会社又は学校用の制服には採用しにくいというという問題があった。
【０００６】
そこで、上記の問題を解決するために、高度な技量を必要とせずに、誰でも簡単に、素早く、綺麗に蝶結びを完成させることができると共に、同一の蝶結びを装って統一美を醸し出すことができるボウ襟ブラウスを考案して提供するものである。
【課題を解決するための手段】
【０００７】
本考案の請求項１に係るボウ襟ブラウスは、襟から延びた左右それぞれのボウ部と、上前身頃に縫着されたタブ部と、前記タブ部に縫着され、左右それぞれ１以上の環を有したリボン部と、を少なくとも備えたボウ襟ブラウスであって、前記左右それぞれのボウ部をリボン部の上で交差させ、該ボウ部と前記リボン部とを、前記タブ部によって巻装して係止したことを特徴とする。
【０００８】
この構成を採用することによって、本考案に係る請求項１のボウ襟ブラウスは、ボウ襟ブラウスの左右のボウ部クロスさせた後、その左右のボウ部とリボン部とを、上前身頃上部に縫着しているタブ部によって、一緒に巻装して、その後係止して固定することができる。よって、誰でも、簡単かつ素早く、ボウ襟ブラウスに蝶結びを胸元に装うことができる。
【０００９】
また、本考案に係るボウ襟ブラウスを、会社や学校の制服に用いれば、制服着装者全員が、同一のリボンを胸の同じ位置に飾ることができるので、統一美を図ることができる。
【００１０】
本考案の請求項２に係るボウ襟ブラウスは、請求項１に記載のボウ襟ブラウスにおいて、  前記リボン部が、中心の位置でリボンの長手方向に、あらかじめタックを入れていることを特徴とする。
【００１１】
この構成を採用することによって、本考案に係る請求項２のボウ襟ブラウスは、中心の位置で、リボンの長手方向に、あらかじめタックが入っているので、タブ部によって巻装された際に、縛った際にできる皺を本物のように表現できるので、他人から、簡易なリボンのようには見えない。
【００１２】
請求項３に係るボウ襟ブラウスは、請求項１又は２に記載のボウ襟ブラウスにおいて、前記係止が、前記タブ部とブラウスの下前身頃の見返し部とに備えたスナップボタンを用いて嵌合して係止したことを特徴とする。
【００１３】
これらの構成を採用することによって、本考案に係る請求項３のボウ襟ブラウスは、ボウ部とリボン部をタブ部で巻装した後に、タブ部の内側とブラウスの下前身頃の見返し部とに備えたスナップボタンを用いて係止して固定できる。よって、簡単に、素早く、確実に所定の形状に固定できるので、本考案に係るボウ襟ブラウスを素早く着こなすことができるし、また、巻装したタブ部が解けない。
【考案の効果】
【００１４】
本考案に係る請求項１から３のボウ襟ブラウスによれば、誰でも簡単かつ素早く綺麗な蝶結びを胸元に装うことができる。また、本考案に係るボウ襟ブラウスを会社や学校の制服に用いれば、同一のリボンを胸の同じ位置に飾ることができるので、リボンの形状、模様、色彩が統一された制服となって、統一美を図ることができる。
【図面の簡単な説明】
【００１５】
【図１】図１は、本考案を実施するための形態に係るボウ襟ブラウスの模式的正面図である。
【図２】図２は、本考案を実施するための形態に係るボウ襟ブラウスであって、リボンを組立てる前の状態を示す模式的正面図である。
【図３】図３は、本考案を実施するための形態に係るボウ襟ブラウスであって、１つ目のボウ部を所定の位置に備えた状態を示す模式的正面図である。
【図４】図４は、本考案を実施するための形態に係るボウ襟ブラウスであって、１つ目と２つ目のボウ部を所定の位置に備えた状態を示す模式的正面図である。
【図５】図５は、本考案を実施するための形態に係るボウ襟ブラウスであって、タブ部を把持してリボン部と共に持ち上げた状態を示す模式的正面図である。
【図６】図６は、本考案を実施するための形態に係るボウ襟ブラウスであって、２つのボウ部とリボン部を所定の位置に備えて、タブ部のスナップボタンを下前身頃の見返し部のスナッブボタンに嵌合させた状態を示す模式的正面図である。
【図７】図７は、本考案を実施するための形態に係るボウ襟ブラウスであって、リボンが完成した状態を示す模式的正面図である。
【考案を実施するための形態】
【００１６】
本考案に係るボウ襟ブラウス１は、図１から〜図７に示すように、ボウ襟２から延びたボウ部２−１、２−２と、リボン部３と、タブ部４と、を少なくとも備えている。タブ部４は、ボウ襟ブラウス１の上前身頃（胸ボタンの穴側の前身頃）に縫着されており、交差させたボウ部２−１、２−２とリボン部３とを一緒に巻装して、下前身頃（胸ボタンのボタン側の前身頃）の見返し部（ブラウスの内（体）側）に係止している。これによって、本考案に係るボウ襟ブラウス１は、ブラウス１の胸元の位置でボウ襟２のボウ部２−１、２−２を、まるで蝶結びをしたかのように装うことができる。
【００１７】
ボウ部２−１、２−２は、ボウ襟２の延長なので、ボウ襟２と同じ生地を使用している。そして、蝶結びを装う際には、左右それぞれのボウ部２−１、２−２は、お互いに交差させた後、リボン部３と共に、タブ部４によって巻装される。巻装後のボウ部２−１、２−２は、左右がそれぞれ入れ替わった位置で、蝶結びの垂の部分となる。
【００１８】
リボン部３は、タブ部４に縫着されており、また、リボン部３の中心の位置でリボンの長手方向に、あらかじめタック３−１が入っている。よって、タブ部４で巻装した際に、恰も縛った際に生じた皺を表現できる。タック３−１の位置は、タブ部４で隠れる位置を中心に設けており、タック３−１がタブ部４から、少しはみ出してもよい。また、リボン部３の形状は、環が基本であるが、環の一部を切断した形状でもよい。また、その個数は、左右それぞれ１又は複数個である。また、リボン部３の生地は、ボウ襟２と同じ生地を使用する。
【００１９】
タブ部４は、蝶結びを完成した際に下になる側（図２〜図４では、上側）の端部を、上前身頃の所定の位置に縫着しており、また、反対側の端部の内側（蝶結びが完成する前は表側）にスナップボタン５−１を備えている。タブ部４は、図４〜図６に示すように、タブ部４に縫着されているリボン部３と、交差した左右それぞれのボウ部２−１、２−２と、を一緒に巻きつけて、前記スナップボタン５−１を、下前身頃の見返り部に設けられたスナップボタン５−２に嵌合させて固定する。また、タブ部４の生地も、ボウ襟２と同じ生地を使用する。なお、スナップボタン５−１、５−２のオス、メスは、どちらでもよいが、下前身頃の見返り部のスナップボタン５−２をメスにした方が出っ張りがなくて、着装した際の違和感がなくて好適である。
【００２０】
本考案に係るボウ襟ブラウス１の製造方法の一例を説明する。まず、従来のボウ襟ブラウスを作製し、ボウ襟２と同じ生地で、所定の形状の生地の両端部を縫い合わせて環を１つ作成し、該環の縫目を中央にして、環を横長の二重の棒状体とする。そして、該縫目の反対側が表となるようにして、該棒状体の生地の中央部の位置で表と裏とを一緒に縫い付けて、左右にそれぞれ１つずつ環ができるようにする。そして、その縫い付けた中央部に縛った感じが出るように、横方向に、二重の生地の両方にタック３−１を入れてリボン部３を作製する。そして、ボウ襟２と同じ生地を所定の形状に裁断して縫製して縦長の長方形のタブ部４を作製する。タブ部４の内側（巻装した際の裏側）の一端にスナップボタン５−１を縫い付ける。そして、タブ部４の内側を表側、かつ、前記スナップボタン５−１が下側になるようにして、リボン部３と一緒に、該タブ部４のスナップボタン５−１と反対側の端部を、上前身頃の表面側の所定の位置に縫着する。そして、下前身頃の見返り部の所定の位置にスナップボタン５−２を縫い付けて完成する。
【００２１】
次に、本考案に係るボウ襟ブラウス１の使用方法の一例を図２〜図７に基づいて説明する。まず、本考案に係るボウ襟ブラウス１を着る。そして、ボウ襟ブラウス１に備えられたボウ部２−１、２−２を、図２に示すように、自然に垂らす。次に、図３に示すように、ボウ襟２の一方の側から延びたボウ部２−１をリボン部の上方で、リボン部３に載せるようにして、反対側の胸の前に垂らす。次に、図４に示すように、反対側のボウ部２−２を、リボン部３の上方で、一方の側のボウ部２−１と交差させて、一方の側の胸の前に垂らす。次に、図５に示すように、タブ部４を、リボン部３とボウ部２−１、２−２と一緒に巻き上げて、図６に示すように、タブ部４の内側上端部のスナップボタン５−１と、下前身頃の見返り部のスナップボタン５−２と、を嵌合させて留める。そして、ボウ襟２、ボウ部２−１、２−２、リボン部３、タブ部４の形状を整えて、図７に示すように、使用状態となる。ボウ襟ブラウス１を脱ぐ場合は、逆の手順を踏む。
【００２２】
本考案に係るボウ襟ブラウス１を用いれば、熟練の手技を必要とせずに、誰でも簡単かつ素早く綺麗な蝶結びを胸元に装うことができる。また、本考案に係るボウ襟ブラウス１を会社や学校の制服に用いれば、同一のリボン部３を胸の同じ位置に飾ることができるので、リボン部３の形状、模様、色彩が統一された制服となって、統一美を図ることができる。
【産業上の利用可能性】
【００２３】
上着、特に職場や学校の制服の分野で広く利用できる。
【符号の説明】
【００２４】
１：ボウ襟ブラウス
２：ボウ襟                  
２−１：ボウ部（その１）          ２−２：ボウ部（その２）
３：リボン部                      ３−１：タック
４：タブ部
５−１：スナップボタン（オス）    ５−２：スナップボタン（メス）
１０：女性        
１０−１：左手                  １０−２：右手
【図１】
0003210717.tif 000003
【図２】
0003210717.tif 000004
【図３】
0003210717.tif 000005
【図４】
0003210717.tif 000006
【図５】
0003210717.tif 000007
【図６】
0003210717.tif 000008
【図７】
0003210717.tif 000009